(57)【要約】本開示のある特定の態様は、超低レイテンシ（ＵＬＬ）送信およびレガシ送信のためのリソース管理のための方法および装置に関する。ある特定の態様は、ＵＬＬ可能なユーザ（機器）であり得るＵＥによって実行できる方法を提供する。方法は、一般に、第１の送信時間間隔（ＴＴＩ）に基づく第１の構成および第２のＴＴＩに基づく第２の構成を示す情報を受信することと、ここにおいて、第１のＴＴＩおよび第２のＴＴＩは各々、第３のＴＴＩよりも短く、第１のＴＴＩおよび第２のＴＴＩは異なる、第１の構成にしたがった第１のＴＴＩに基づいて、および第２の構成にしたがった第２のＴＴＩに基づいて通信することとを含む。
2019509683.tif 000002
【特許請求の範囲】
【請求項１】
ユーザ機器（ＵＥ）によるワイヤレス通信のための方法であって、
第１の送信時間間隔（ＴＴＩ）に基づく第１の構成および第２のＴＴＩに基づく第２の構成を示す情報を受信することと、ここにおいて、
前記第１のＴＴＩおよび前記第２のＴＴＩは各々、第３のＴＴＩよりも短く、
前記第１のＴＴＩおよび前記第２のＴＴＩは異なる、
前記第１の構成にしたがった前記第１のＴＴＩに基づいて、および前記第２の構成にしたがった前記第２のＴＴＩに基づいて通信することと
を備える、方法。
【請求項２】
前記第１のＴＴＩは、２つのシンボルを備え、前記第２のＴＴＩは、１つのスロットを備え、前記第３のＴＴＩは、１ミリ秒を備える、請求項１に記載の方法。
【請求項３】
前記情報は、
前記ＵＥに関する動的にシグナリングされたスケジューリング情報、または
前記ＵＥに関する半静的にシグナリングされたスケジューリング情報
を備える、請求項１に記載の方法。
【請求項４】
前記第１のＴＴＩは、ダウンリンクまたはアップリンク通信に使用されるように構成され、前記第２のＴＴＩは、ダウンリンクまたはアップリンク通信のうちの他方に使用されるように構成される、請求項１に記載の方法。
【請求項５】
前記第１のＴＴＩは、第１のコンポーネントキャリア上の通信に使用されるように構成され、前記第２のＴＴＩは、第２のコンポーネントキャリア上の通信に使用されるように構成される、請求項１に記載の方法。
【請求項６】
前記情報は、無線リソース制御（ＲＲＣ）構成またはダウンリンク制御情報（ＤＣＩ）を介して前記ＵＥに示される、請求項１に記載の方法。
【請求項７】
前記構成は、前記通信することに使用される１つまたは複数のリソースブロックを備える、請求項１に記載の方法。
【請求項８】
前記第１のＴＴＩに示されるリソースの第１のリソース粒度は、前記第２のＴＴＩに示されるリソースの第２のリソース粒度とは異なる、請求項７に記載の方法。
【請求項９】
前記情報は、サブフレームの異なるセットについての構成の異なるセットを示す、請求項１に記載の方法。
【請求項１０】
前記情報は、前記第３のＴＴＩに基づく第３の構成をさらに示し、
前記方法は、前記第３の構成にしたがった前記第３のＴＴＩに基づいて通信することをさらに備える、請求項１に記載の方法。
【請求項１１】
前記情報は、前記第１のＴＴＩまたは前記第２のＴＴＩのうちの少なくとも１つのためのチャネル状態情報（ＣＳＩ）フィードバックについての測定を実行するために使用されるべきリソースをさらに示し、
前記方法は、そのＴＴＩのために前記示されたリソースに基づいて前記第１のＴＴＩまたは前記第２のＴＴＩのうちの少なくとも１つのためのＣＳＩフィードバックについての前記測定を実行することをさらに備える、請求項１に記載の方法。
【請求項１２】
前記情報は、前記第１のＴＴＩまたは前記第２のＴＴＩのうちの少なくとも１つのためのダウンリンク制御情報（ＤＣＩ）における少なくとも１つの情報フィールドに使用されるべきリソースをさらに示し、
前記方法は、ＤＣＩにおける前記決定された少なくとも１つの情報フィールドに基づいて通信することをさらに備える、請求項１に記載の方法。
【請求項１３】
基地局（ＢＳ）によるワイヤレス通信のための方法であって、
第１の送信時間間隔（ＴＴＩ）および第２のＴＴＩを決定することと、ここにおいて、
前記第１のＴＴＩおよび前記第２のＴＴＩは各々、第３のＴＴＩよりも短く、
前記第１のＴＴＩおよび前記第２のＴＴＩは異なる、
前記第１のＴＴＩに基づく第１の構成および前記第２のＴＴＩに基づく第２の構成を決定することと、
前記第１のＴＴＩのための前記第１の構成および前記第２のＴＴＩのための前記第２の構成を示す情報を送信することと
を備える、方法。
【請求項１４】
前記第１のＴＴＩは、２つのシンボルを備え、前記第２のＴＴＩは、１つのスロットを備え、前記第３のＴＴＩは、１ミリ秒を備える、請求項１３に記載の方法。
【請求項１５】
前記情報は、
少なくとも１つのユーザ機器（ＵＥ）に関する動的にシグナリングされたスケジューリング情報、または
前記少なくとも１つＵＥに関する半静的にシグナリングされたスケジューリング情報
を備える、請求項１３に記載の方法。
【請求項１６】
前記動的にシグナリングされたスケジューリング情報は、前記第１のＴＴＩのための前記第１の構成を示す第１のＵＥに関する動的にシグナリングされたスケジューリング情報および前記第２のＴＴＩのための前記第２の構成を示す第２のＵＥに関する動的にシグナリングされたスケジューリング情報を備える、請求項１５に記載の方法。
【請求項１７】
前記半静的にシグナリングされたスケジューリング情報は、前記第１のＴＴＩのための前記第１の構成を示す第１のＵＥに関する半静的にシグナリングされたスケジューリング情報および前記第２のＴＴＩのための前記第２の構成を示す第２のＵＥに関する半静的にシグナリングされたスケジューリング情報を備える、請求項１５に記載の方法。
【請求項１８】
前記第１のＴＴＩは、ダウンリンクまたはアップリンク通信に使用されるように構成され、前記第２のＴＴＩは、ダウンリンクまたはアップリンク通信のうちの他方に使用されるように構成される、請求項１３に記載の方法。
【請求項１９】
前記第１のＴＴＩは、第１のコンポーネントキャリア上の通信に使用されるように構成され、前記第２のＴＴＩは、第２のコンポーネントキャリア上の通信に使用されるように構成される、請求項１３に記載の方法。
【請求項２０】
前記情報は、１つまたは複数のビットマップによって示される、請求項１３に記載の方法。
【請求項２１】
前記１つまたは複数のビットマップの値は、通信することに使用されるリソースブロックに対応する、請求項２０に記載の方法。
【請求項２２】
前記第１のＴＴＩのための第１のビットマップに示されるリソースの第１のリソース粒度は、前記第２のＴＴＩのための第２のビットマップに示されるリソースの第２のリソース粒度とは異なる、請求項２０に記載の方法。
【請求項２３】
前記情報は、サブフレームの異なるセットについての構成の異なるセットを示す、請求項１３に記載の方法。
【請求項２４】
前記第３のＴＴＩに基づく第３の構成を決定することをさらに備え、前記情報は、前記第３のＴＴＩのための前記第３の構成をさらに示す、請求項１３に記載の方法。
【請求項２５】
前記第１のＴＴＩまたは前記第２のＴＴＩのうちの少なくとも１つのためのダウンリンク制御情報（ＤＣＩ）における少なくとも１つの情報フィールドを送信するためのリソースを決定することをさらに備え、前記リソースの前記決定は、システム帯域幅に基づき、またはそのＴＴＩのための前記構成に基づき、前記情報は、前記少なくとも１つの情報フィールドのための前記リソースをさらに示す、請求項１３に記載の方法。
【請求項２６】
前記第１のＴＴＩ、前記第２のＴＴＩ、前記第１の構成、または前記第２の構成のうちの少なくとも１つに関する情報をバックホールを介して受信することをさらに備え、前記第１のＴＴＩ、前記第２のＴＴＩ、前記第１の構成、または前記第２の構成のうちの少なくとも１つの前記決定は、前記シグナリングに少なくとも部分的に基づく、請求項１３に記載の方法。
【請求項２７】
前記第１のＴＴＩまたは前記第２のＴＴＩのうちの少なくとも１つのためのチャネル状態情報（ＣＳＩ）フィードバックについての測定を実行するために使用されるべきリソースを決定することをさらに備え、前記情報は、前記測定を実行するために使用されるべき前記リソースをさらに示し、前記リソースの前記決定は、システム帯域幅に基づく、またはそのＴＴＩのための前記構成に基づく、請求項１３に記載の方法。
【請求項２８】
ユーザ機器（ＵＥ）によるワイヤレス通信のための装置であって、
第１の送信時間間隔（ＴＴＩ）に基づく第１の構成および第２のＴＴＩに基づく第２の構成を示す情報を受信するための手段と、ここにおいて、
前記第１のＴＴＩおよび前記第２のＴＴＩは各々、第３のＴＴＩよりも短く、
前記第１のＴＴＩおよび前記第２のＴＴＩは異なる、
前記第１の構成にしたがった前記第１のＴＴＩに基づいて、および前記第２の構成にしたがった前記第２のＴＴＩに基づいて通信するための手段と
を備える、装置。
【請求項２９】
基地局（ＢＳ）によるワイヤレス通信のための装置であって、
第１の送信時間間隔（ＴＴＩ）および第２のＴＴＩを決定するための手段と、ここにおいて、
前記第１のＴＴＩおよび前記第２のＴＴＩは各々、第３のＴＴＩよりも短く、
前記第１のＴＴＩおよび前記第２のＴＴＩは異なる、
前記第１のＴＴＩに基づく第１の構成および前記第２のＴＴＩに基づく第２の構成を決定するための手段と、
前記第１のＴＴＩのための前記第１の構成および前記第２のＴＴＩのための前記第２の構成を示す情報を送信するための手段と
を備える、装置。
【発明の詳細な説明】
【関連出願の相互参照および優先権主張】
【０００１】
[0001]本出願は、すべての適用可能な目的のために、参照により本明細書にその全体が組み込まれる、２０１６年３月１０日に出願された米国特許仮出願第６２／３０６，４１７号の利益および優先権を主張する、２０１７年２月２７日に出願された米国特許出願番号第１５／４４３，７８０号の優先権を主張する。
【技術分野】
【０００２】
[0002]本開示は、一般に、ワイヤレス通信に関し、より具体的には、超低レイテンシ（ＵＬＬ：ultra low latency）送信およびレガシ送信のためのリソース管理のための方法および装置に関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、いくつかの基地局を含み得、それらの各々は、別名ユーザ機器（ＵＥ）として知られる複数の通信デバイスのための通信を同時にサポートする。ロングタームエボリューション（ＬＴＥ（登録商標））またはＬＴＥアドバンスト（ＬＴＥ−Ａ）ネットワークにおいて、１つまたは複数のＢＳのセットは、拡張／発展型ノードＢ（ｅＮＢ）を定義し得る。他の例において（例えば、次世代型、新たな無線（ＮＲ）、または５Ｇネットワークにおいて）、ワイヤレス多元接続通信システムは、いくつかの中央ユニット（ＣＵ）（例えば、中央ノード（ＣＮ）、アクセスノードコントローラ（ＡＮＣ）、等）と通信している、いくつかの分散型ユニット（ＤＵ）（例えば、エッジユニット（ＥＵ）、エッジノード（ＥＮ）、無線ヘッド（ＲＨ）、スマート無線ヘッド（ＳＲＨ）、送信受信ポイント（ＴＲＰ）、等）を含み得、ここで、中央ユニットと通信している１つまたは複数の分散型ユニットのセットは、アクセスノード（例えば、ＮＲ ＢＳ、ＮＲ ＮＢ、ネットワークノード、５Ｇ ＮＢ、ｇＮＢ、アクセスポイント（ＡＰ）、等）を定義し得る。ＢＳまたはＤＵは、（例えば、基地局からの送信またはＵＥへの送信のために）ダウンリンクチャネルおよび（例えば、ＵＥからＢＳまたはＤＵへの送信のために）アップリンクチャネル上でＵＥのセットと通信し得る。
【０００５】
[0005]これらの多元接続技術は、異なるワイヤレスデバイスが都市、国家、地域、さらには地球規模で通信することを可能にする共通プロトコルを提供するために、様々な電気通信規格において採用されてきた。新興の電気通信規格の例は、ロングタームエボリューション（ＬＴＥ）である。ＬＴＥ／ＬＴＥアドバンストは、第３世代パートナーシッププロジェクト（３ＧＰＰ（登録商標））によって公表されたユニバーサルモバイル電気通信システム（ＵＭＴＳ）のモバイル規格の拡張セットである。新興の電気通信規格の例は、ＮＲ、例えば、５Ｇ無線アクセスである。ＮＲは、３ＧＰＰによって公表されたＬＴＥモバイル規格の拡張セットである。それは、スペクトル効率を改善すること、コストを下げること、サービスを向上させること、新たなスペクトルを利用すること、および、ダウンリンク（ＤＬ）およびアップリンク（ＵＬ）上でサイクリックプリフィックス（ＣＰ）を備えたＯＦＤＭＡを使用して、より良好に他のオープン規格と統合することによって、モバイルブロードバンドインターネットアクセスをより良好にサポートする、並びにビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要が増大し続けるにつれて、ＬＴＥ技術およびＮＲ技術における更なる改良の必要性が存在する。望ましくは、これらの改良は、これらの技術を用いる他の多重接続技術および電気通信規格に適用可能であるべきである。
【発明の概要】
【０００７】
[0007]本開示のシステム、方法、およびデバイスは各々、いくつかの態様を有し、これらのうちのいずれも、その望ましい属性を単独で担うものではない。後続する特許請求の範囲によって表される本開示の範囲を限定することなく、ここでいくつかの特徴が簡潔に説明される。この説明を考慮した後、また、特に「詳細な説明」と題するセクションを読んだ後、当業者であれば、本開示の特徴が、どのようにワイヤレスネットワークにおけるアクセスポイントと局の間の改善された通信を含む利点を提供するかを理解するであろう。
【０００８】
[0008]本開示の態様は、超低レイテンシ（ＵＬＬ）送信およびレガシ送信のためのリソース管理のためのメカニズムを提供する。
【０００９】
[0009]本開示の態様は、ユーザ機器（ＵＥ）によるワイヤレス通信のための方法を提供する。方法は、一般に、第１の送信時間間隔（ＴＴＩ）に基づく第１の構成および第２のＴＴＩに基づく第２の構成を示す情報を受信することと、ここにおいて、第１のＴＴＩおよび第２のＴＴＩは各々、第３のＴＴＩよりも短く、第１のＴＴＩおよび第２のＴＴＩは異なる；第１のリソースにしたがった第１のＴＴＩに基づいて、および第２の構成にしたがった第２のＴＴＩに基づいて通信することとを含む。
【００１０】
[0010]本開示の態様は、基地局（ＢＳ）によるワイヤレス通信のための方法を提供する。方法は、一般に、第１のＴＴＩおよび第２のＴＴＩを決定することと、ここにおいて、第１のＴＴＩおよび第２のＴＴＩは各々、第３のＴＴＩよりも短く、第１のＴＴＩおよび第２のＴＴＩは異なる；第１のＴＴＩに基づいて第１の構成を、第２のＴＴＩに基づいて第２の構成を決定することと；第１のＴＴＩのための第１の構成および第２のＴＴＩのための第２の構成を示す情報を送信することとを含む。
【００１１】
[0011]本開示の態様は、ＵＥによるワイヤレス通信のための装置を提供する。装置は、一般に、第１のＴＴＩに基づく第１の構成および第２のＴＴＩに基づく第２の構成を示す情報を受信するための手段と、ここにおいて、第１のＴＴＩおよび第２のＴＴＩは各々、第３のＴＴＩよりも短く、第１のＴＴＩおよび第２のＴＴＩは異なる；第１の構成にしたがった第１のＴＴＩに基づいて、および第２の構成にしたがった第２のＴＴＩに基づいて通信するための手段とを含む。
【００１２】
[0012]本開示の態様は、ＢＳによるワイヤレス通信のための装置を提供する。装置は、一般に、第１のＴＴＩおよび第２のＴＴＩのための手段と、ここにおいて、第１のＴＴＩおよび第２のＴＴＩは各々、第３のＴＴＩよりも短く、第１のＴＴＩおよび第２のＴＴＩは異なる；第１のＴＴＩに基づいて第１の構成を、第２のＴＴＩに基づいて第２の構成を決定するための手段と；第１のＴＴＩのための第１の構成および第２のＴＴＩのための第２の構成を示す情報を送信するための手段とを含む。
【００１３】
[0013]本開示の態様は、ＵＥによるワイヤレス通信のための装置を提供する。装置は、一般に、第１のＴＴＩに基づく第１の構成および第２のＴＴＩに基づく第２の構成を示す情報を受信することと、ここにおいて、第１のＴＴＩおよび第２のＴＴＩは各々、第３のＴＴＩよりも短く、第１のＴＴＩおよび第２のＴＴＩは異なる；第１の構成にしたがった第１のＴＴＩに基づいて、および第２の構成にしたがった第２のＴＴＩに基づいて通信することとを行うように構成された少なくとも１つのプロセッサと、少なくとも１つのプロセッサに結合されたメモリとを含む。
【００１４】
[0014]本開示の態様は、ＢＳによるワイヤレス通信のための装置を提供する。装置は、一般に、第１のＴＴＩおよび第２のＴＴＩを決定することと、ここにおいて、第１のＴＴＩおよび第２のＴＴＩは各々、第３のＴＴＩよりも短く、第１のＴＴＩおよび第２のＴＴＩは異なる；第１のＴＴＩに基づいて第１の構成を、第２のＴＴＩに基づいて第２の構成を決定することと；第１のＴＴＩのための第１の構成および第２のＴＴＩのための第２の構成を示す情報を送信することとを行うように構成された少なくとも１つのプロセッサと、少なくとも１つのプロセッサに結合されたメモリとを含む。
【００１５】
[0015]本開示の態様は、コンピュータ実行可能コードを記憶したコンピュータ可読媒体を提供する。コンピュータ実行可能コードは、一般に、第１のＴＴＩに基づく第１の構成および第２のＴＴＩに基づく第２の構成を示す情報を受信するためのコードと、ここにおいて、第１のＴＴＩおよび第２のＴＴＩは各々、第３のＴＴＩよりも短く、第１のＴＴＩおよび第２のＴＴＩは異なる；第１の構成にしたがった第１のＴＴＩに基づいて、および第２の構成にしたがった第２のＴＴＩに基づいて通信するためのコードとを含む。
【００１６】
[0016]本開示の態様は、コンピュータ実行可能コードを記憶したコンピュータ可読媒体を提供する。コンピュータ実行可能コードは、一般に、第１のＴＴＩおよび第２のＴＴＩを決定するためのコードと、ここにおいて、第１のＴＴＩおよび第２のＴＴＩは各々、第３のＴＴＩよりも短く、第１のＴＴＩおよび第２のＴＴＩは異なる；第１のＴＴＩに基づいて第１の構成を、第２のＴＴＩに基づいて第２の構成を決定するためのコードと；第１のＴＴＩのための第１の構成および第２のＴＴＩのための第２の構成を示す情報を送信するためのコードとを含む。
【００１７】
[0017]本開示の他の態様、特徴、および態様は、本開示の特定の例示的な態様の以下に続く説明を、添付の図面と併せて検討すると、当業者にとって明らかになるであろう。本開示の特徴が、以下である特定の態様および図面に関連して説明され得る一方で、本開示のすべての態様は、本明細書で説明される有利な特徴のうちの１つまたは複数を含むことができる。言い換えると、１つまたは複数の態様は、ある特定の有利な特徴を有するものとして説明され得るが、そのような特徴の１つまたは複数は、また、本明細書で開示される発明の様々な実施形態にしたがって使用され得る。同様に、例示的な態様が、デバイス、システム、または方法の態様として以下で説明され得る一方で、そのような例示的な態様は、様々なデバイス、システム、方法、およびコンピュータ可読媒体で実現され得ることが理解されるべきである。
【図面の簡単な説明】
【００１８】
[0018]本開示の上記された特徴が詳細に理解されることができるように、上記において簡潔に要約されたより詳細な説明が態様への参照によりなされており、それらのうちのいくつかは、添付された図面内において例示される。しかしながら、添付の図面は本開示のある特定の典型的な態様のみを例示しており、したがって、その説明が他の同等に効果的な態様を認め得るため、その範囲を限定するものと考慮されるべきではない。
【図１】[0019]図１は、本開示のある特定の態様にしたがった、ネットワークアーキテクチャの例を例示する図である。
【図２】[0020]図２は、本開示のある特定の態様にしたがった、アクセスネットワークの例を例示する図である。
【図３】[0021]図３は、本開示のある特定の態様にしたがった、アクセスネットワークにおけるダウンリンクフレーム構造の例を例示する図である。
【図４】[0022]図４は、本開示のある特定の態様にしたがった、アクセスネットワークにおけるアップリンクフレーム構造の例を例示する図である。
【図５】[0023]図５は、本開示のある特定の態様にしたがった、ユーザおよび制御プレーンに対する無線プロトコルアーキテクチャの例を例示する図である。
【図６】[0024]図６は、本開示のある特定の態様にしたがった、アクセスネットワークにおける基地局（ＢＳ）およびユーザ機器（ＵＥ）の例を例示する図である。
【図７】[0025]図７は、本開示のある特定の態様にしたがった、分散型無線アクセスネットワーク（ＲＡＮ）の例示的な論理アーキテクチャを例示する。
【図８】[0026]図８は、本開示のある特定の態様にしたがった、分散型ＲＡＮの例示的な物理アーキテクチャを例示する。
【図９】[0027]図９は、本開示のある特定の態様にしたがった、ダウンリンク（ＤＬ）中心サブフレームの例を例示する図である。
【図１０】[0028]図１０は、本開示のある特定の態様にしたがった、アップリンク（UL）中心サブフレームの例を例示する図である。
【図１１】[0029]図１１は、本開示の態様にしたがった、ＵＥによるワイヤレス通信のための例示的な動作を例示する。
【図１２】[0030]図１２は、本開示の態様にしたがった、基地局によるワイヤレス通信のための例示的な動作を例示する。
【図１３】[0031]図１３は、本開示のある特定の態様にしたがった、低レイテンシ送信およびレガシ送信のためのリソース管理が可能な例示的なＵＥおよびＢＳを概念的に例示するブロック図である。
【００１９】
[0032]理解を容易にするために、同一の参照番号が、可能な場合、図に共通である同一の要素を指定するために使用されている。一態様において開示される要素が、具体的な記載なしに他の態様に有益に利用され得ることが企図される。
【詳細な説明】
【００２０】
[0033]ある特定のデバイスは、低レイテンシ（または超低レイテンシ「ＵＬＬ」）通信をサポートし得、それは、その能力を欠いているデバイスと比較して低レイテンシである特定の手順を実施するための能力を含む。低レイテンシまたはＵＬＬ通信を実行する能力を欠いているデバイスは、本明細書では「レガシ」デバイスと称され得る。レガシ送信時間間隔（ＴＴＩ）は、１ｍｓであり得る。ＵＬＬでは、１ｍｓより短いＴＴＩ長が使用され得る。いくつかのケースでは、レガシおよびＵＬＬリソースがオーバーラップし得る。
【００２１】
[0034]本開示のある特定の態様は、異なる送信が異なるＴＴＩ長を有し得るＵＬＬおよび／またはレガシデータの送信のためのリソース管理のための技法を提供する。例えば、異なるデバイス、異なる送信方向（アップリンクおよびダウンリンク）、異なるコンポーネントキャリア、異なるサブフレームは、異なるＴＴＩ長のために構成され得る。基地局は、ＴＴＩ長に基づいて異なるＴＴＩ長のための構成を決定し得る。基地局は、構成を示す情報をＵＥに送り得る。ＵＥは、情報を受信し、異なるＴＴＩのための決定された構成にしたがって通信することができる。
【００２２】
[0035]本開示の様々な態様は、添付の図面を参照して以下により十分に説明される。しかしながら、本開示は、多くの異なる形態で具現化され得、本開示の全体にわたって提示される任意の特定の構造または機能に限定されるものとして解釈されるべきではない。むしろ、これらの態様は、本開示が十分かつ完全であり、当業者に本開示の範囲を十分に伝えるように提供される。本明細書における教示に基づき、当業者は、本開示の範囲が、本開示の任意の他の態様と独立して実現されようと、組み合わされて実現されようと、本明細書に開示される開示の任意の態様をカバーするように意図されていることを理解すべきである。例えば、本明細書で説明される任意の数の態様を使用して、装置が実現され得る、または方法が実施され得る。加えて、本開示の範囲は、本明細書で説明される本開示の様々な態様に加えて、またはそれ以外の、他の構造、機能、または構造および機能を使用して実施されるそのような装置または方法をカバーするように意図される。本明細書で開示される本開示の任意の態様が、請求項の１つまたは複数の要素によって具現化され得ることが理解されるべきである。「例示的（exemplary）」という用語は、本明細書では「例、事例、または例示を提供する」という意味で使用される。「例示的」なものとして本明細書に説明される任意の態様は、必ずしも、他の態様よりも好ましい、または利点を有するものと解釈されるべきではない。ここで、電気通信システムのいくつかの態様が、様々な装置および方法に関連して示される。これらの装置および方法は、以下の詳細な説明において説明され、（「要素」と総称される）様々なブロック、モジュール、コンポーネント、回路、ステップ、プロセス、アルゴリズム、等によって、添付図面において例示される。これらの要素は、ハードウェア、ソフトウェア、またはそれらの組み合わせを使用して実現され得る。そのような要素が、ハードウェアとして実現されるか、あるいはソフトウェアとして実現されるかは、特定のアプリケーションおよびシステム全体に課せられる設計制約に依存する。
【００２３】
[0036]本明細書で説明される技法は、ＬＴＥ、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、等のような様々なワイヤレス通信ネットワークに使用され得る。「ネットワーク」および「システム」という用語は、しばしば交換可能に使用される。ＣＤＭＡネットワークは、ユニバーサル地上無線アクセス（ＵＴＲＡ）、ＣＤＭＡ２０００、等のような無線技術を実現し得る。ＵＴＲＡは、広帯域ＣＤＭＡ（Ｗ−ＣＤＭＡ（登録商標））およびローチップレート（ＬＣＲ）を含む。ＣＤＭＡ２０００は、ＩＳ２０００、ＩＳ−９５、およびＩＳ−８５６規格をカバーする。ＴＤＭＡネットワークは、モバイル通信のためのグローバルシステム（ＧＳＭ）（登録商標）のような無線技術を実現し得る。ＯＦＤＭＡネットワークは、ＮＲ（例えば、５Ｇ無線アクセス）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭのような無線技術を実現し得る。ＵＴＲＡ、Ｅ−ＵＴＲＡおよびＧＳＭは、ユニバーサル電気通信システム（ＵＭＴＳ）の一部である。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と呼ばれる団体からの文書に説明されている。ＣＤＭＡ２０００は、「第３世代パートナーシッププロジェクト２」（３ＧＰＰ２）と呼ばれる団体からの文書に説明されている。ＮＲは、５Ｇ技術フォーラム（５ＧＴＦ）と共に開発中である新興のワイヤレス通信技術である。これら通信ネットワークは、本開示で説明される技法が適用され得るネットワークの例として単に記載されているにすぎないが、本開示は、上記の通信ネットワークに限定されない。明確にするために、態様は３Ｇおよび／または４Ｇのワイヤレス技術に共通に関連する専門用語を使用して本明細書で説明され得るが、本開示の態様は、５Ｇ以降を含むＮＲ技術のような、他の世代ベースの通信システムに適用されることができる。
例示的なワイヤレス通信システム
【００２４】
[0037]図１は、本開示の態様が実施され得るネットワークアーキテクチャ１００を例示する図である。いくつかのケースでは、ネットワークアーキテクチャ１００は、新たな無線（ＮＲ：new radio）または５Ｇネットワークであり得る。基地局（例えば、１０６、１０８等）は、異なる送信時間間隔（ＴＴＩ）のための構成を決定し得る。例えば、ＢＳ１０６、１０８は、超低レイテンシ（ＵＬＬ）ＴＴＩおよびレガシＴＴＩのための構成を決定し得る。別の例では、ＢＳ１０６、１０８は、異なるＵＬＬ ＴＴＩのための構成を決定し得る。ＢＳ１０６、１０８は、決定された構成を示す情報をユーザ機器（ＵＥ）１０２（ＵＬＬの能力があるＵＥまたはレガシＵＥであり得る）に送り得る。ＵＥ１０２は、情報を受信し、決定された構成にしたがった異なるＴＴＩに基づいてＢＳ１０６、１０８と通信することができる。
【００２５】
[0038]ネットワークアーキテクチャ１００は、発展型パケットシステム（ＥＰＳ）１００と称され得る（例えば、ロングタームエボリューション（ＬＴＥ（登録商標））ネットワーク）。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含み得る。ＥＰＳ１００は、他のアクセスネットワークと相互接続することができるが、簡潔さのために、それらのエンティティ／インターフェースは示されていない。例示的な他のアクセスネットワークは、ＩＰマルチメディアサブシステム（ＩＭＳ）パケットデータネットワーク（ＰＤＮ）、インターネットＰＤＮ、アドミニストレイティブＰＤＮ（例えば、プロビジョニングＰＤＮ）、キャリア固有ＰＤＮ、オペレータ固有ＰＤＮ、および／または全地球測位システム（ＧＰＳ）ＰＤＮを含み得る。示されるように、ＥＰＳ１００は、パケット交換（ＰＳ）サービスを提供する、しかしながら、当業者が容易に理解するであろうように、本開示の全体を通して提示される様々な概念は、回線交換（ＣＳ）サービスを提供するネットワークに拡張され得る。
【００２６】
[0039]ＵＥ１０２は、モバイル局、端末、アクセス端末（ＡＴ）、加入者局、局、加入者宅内機器（ＣＰＥ）、セルラ電話、スマートフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイスまたは医療機器、生体センサ／デバイス、スマートウォッチ、スマートクロージング、スマートグラス、スマートリストバンド、スマートジュエリー（例えば、スマートリング、スマートブレスレット、等）のようなウェアラブルデバイス、娯楽端末（例えば、音楽デバイス、映像デバイス、衛星ラジオ、等）、車両コンポーネントまたはセンサ、ドローン、ロボット／ロボティックデバイス、スマートメータ／センサ、工業製造機器、全地球測位システムデバイス、またはワイヤレスまたはワイヤード媒体を介して通信するように構成された任意の他の適切なデバイスとも称され得る。いくつかのＵＥは、発展型またはマシン型通信（ＭＴＣ）デバイスまたは発展型ＭＴＣ（ｅＭＴＣ）デバイスであると考えられ得る。ＭＴＣは、通信の少なくとも一端に少なくとも１つの遠隔デバイスを伴う通信を指し得、人間の対話（human interaction）を必ずしも必要としない１つまたは複数のエンティティを伴うデータ通信の形態を含み得る。ＭＴＣ ＵＥは、例えば、地上波公共移動通信ネットワーク（ＰＬＭＮ：Public Land Mobile Networks）を通じて、ＭＴＣサーバおよび／または他のＭＴＣデバイスとのＭＴＣ通信が可能であるＵＥを含み得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、ロケーションタグ、等を含む。ワイヤレスノードは、例えば、ワイヤードまたはワイヤレス通信リンクを介して、ネットワーク（例えば、セルラネットワークまたはインターネットのような広域ネットワーク）のための、またはそれへの接続性を提供し得る。いくつかのＵＥは、モノのインターネット（ＩｏＴ）デバイスまたは狭帯域ＩｏＴ（ＮＢ−ＩｏＴ）デバイスであると考えられ得る。
【００２７】
[0040]Ｅ−ＵＴＲＡＮ１０４は、ＢＳ１０６および他のＢＳ１０８を含む。ＢＳ１０６は、ＵＥ１０２に対してユーザおよび制御プレーンプロトコル終端を提供する。ＢＳ１０６は、Ｘ２インターフェース（たとえば、バックホール）を介して他のＢＳ１０８に接続され得る。ＢＳ１０６はまた、アクセスポイントと称され得る。ＢＳ１０６は、ＵＥ１０２にＥＰＣ１１０へのアクセスポイント（ＡＰ）を提供し得る。アクセスポイント（「ＡＰ」）は、ノードＢ、無線ネットワークコントローラ（「ＲＮＣ」）、ｅノードＢ（「ｅＮＢ」）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備えることができ、これらとして実現されることができ、または、これらとして周知であり得る。
【００２８】
[0041]ＢＳは、ＵＥと通信する局であり得る。各ＢＳ１１０は、特定の地理的エリアに通信カバレッジを提供し得る。３ＧＰＰでは、「セル」という用語は、この用語が使用されるコンテキストに応じて、ノードＢのカバレッジエリアおよび／またはこのカバレッジエリアにサービス提供するノードＢサブシステムを指すことができる。ＮＲシステムでは、「セル」およびｇＮＢ、ノードＢ、５Ｇ ＮＢ、ＡＰ、ＮＲ ＢＳ、ＮＲ ＢＳ、またはＴＲＰという用語は、交換可能であり得る。いくつかの例では、セルは必ずしも固定されたものではなく、セルの地理的エリアは、モバイル基地局の位置にしたがって移動し得る。いくつかの例では、基地局は、任意の適切なトランスポートネットワークを使用する直接的な物理接続、仮想ネットワーク、または同様のもののような、様々なタイプのバックホールインターフェースを通じて、ワイヤレスネットワーク１００における１つまたは複数の他の基地局またはネットワークノード（図示せず）に、および／または互いに、相互接続され得る。
【００２９】
[0042]ＢＳ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２とＥＰＣ１１０の間のシグナリングを処理する制御ノードである。一般に、ＭＭＥ１１２は、ベアラおよび接続管理を提供する。すべてのユーザＩＰパケットは、それ自体がＰＤＮゲートウェイ１１８に接続されるサービングゲートウェイ１１６を通じて転送される。ＰＤＮゲートウェイ１１８は、ＵＥ ＩＰアドレス割り振りのみならず、その他の機能も提供する。ＰＤＮゲートウェイ１１８は、オペレータのＩＰサービス１２２に接続される。オペレータのＩＰサービス１２２は、例えば、インターネット、イントラネット、ＩＰマルチメディアサブシステム（ＩＭＳ）、およびＰＳ（パケット交換）ストリーミングサービス（ＰＳＳ）を含み得る。このように、ＵＥ１０２は、ネットワークアーキテクチャ１００を通じてＰＤＮに結合され得る。
【００３０】
[0043]一般に、任意の数のワイヤレスネットワークが、所与の地理的エリアに配置され得る。各ワイヤレスネットワークは、特定の無線アクセス技術（ＲＡＴ）をサポートし得、１つまたは複数の周波数上で動作し得る。ＲＡＴはまた、無線技術、エアインターフェース、等とも称され得る。周波数はまた、キャリア、周波数チャネル、等とも称され得る。各周波数は、異なるＲＡＴのワイヤレスネットワーク間での干渉を回避するために、所与の地理的エリアにおける単一のＲＡＴをサポートし得る。いくつかのケースでは、ＮＲまたは５Ｇ ＲＡＴネットワークが展開され得る。本明細書で説明される例の態様はＬＴＥ技術に関連付けられ得るが、本開示の態様は、ＮＲまたは５Ｇのような、他のワイヤレス通信システムと共に適用可能であり得る。
【００３１】
[0044]図２は、本開示の態様が実施され得るネットワークアーキテクチャ（例えば、ネットワークアーキテクチャ１００のような）におけるアクセスネットワーク２００の例を例示する図である。例えば、ＢＳ２０４およびＵＥ２０６は、以下で論じられるような本開示のある特定の態様にしたがった、異なるＴＴＩのタイプ（例えば、異なるＴＴＩ長）を有する送信のリソース管理のための技法を実現するように構成され得る。
【００３２】
[0045]この例では、アクセスネットワーク２００は、いくつかのセルラ領域（セル）２０２に分割されている。１つまたは複数のより低い電力クラスのＢＳ２０８は、セル２０２のうちの１つまたは複数とオーバーラップするセルラ領域２１０を有し得る。より低い電力クラスのＢＳ２０８は、リモートラジオヘッド（ＲＲＨ）と称され得る。より低い電力クラスのＢＳ２０８は、フェムトセル（たとえば、ホームＢＳ）、ピコセル、またはマイクロセルであり得る。マクロＢＳ２０４は各々、それぞれのセル２０２に割り当てられ、セル２０２におけるすべてのＵＥ２０６にＥＰＣ１１０へのアクセスポイントを与えるように構成される。アクセスネットワーク２００のこの例には集中型（centralized）コントローラは存在しないが、代替の構成では、集中型コントローラが使用され得る。ＢＳ２０４は、無線ベアラ制御、承認制御、モビリティ制御、スケジューリング、セキュリティ、およびサービングゲートウェイ１１６への接続性を含む、すべての無線関連機能を担う。アクセスネットワーク２００はまた、（示されていないが）１つまたは複数のリレーを含み得る。ＵＥは、リレーとしての役割を果たし得る。
【００３３】
[0046]ＮＲシステムでは、「セル」およびｇＮＢ、ノードＢ、５Ｇ ＮＢ、またはＴＲＰという用語は、交換可能であり得る。いくつかの例では、セルは必ずしも固定されたものではなく、セルの地理的エリアは、モバイル基地局の位置にしたがって移動し得る。いくつかの例では、基地局は、任意の適切なトランスポートネットワークを使用する直接的な物理接続、仮想ネットワーク、または同様のもののような、様々なタイプのバックホールインターフェースを通じて、アクセスネットワーク１００における１つまたは複数の他の基地局またはネットワークノード（図示せず）に、および／または互いに、相互接続され得る。
【００３４】
[0047]アクセスネットワーク２００によって用いられる変調および多元接続スキームは、展開される特定の電気通信規格に依存して異なり得る。ある特定のシステム（例えば、ＬＴＥ）では、周波数分割復信（ＦＤＤ）および時分割復信（ＴＤＤ）の両方をサポートするために、ＯＦＤＭがＤＬ上で使用され、ＳＣ−ＦＤＭＡがＵＬ上で使用される。以下に続く詳細な説明から当業者が容易に理解するように、本明細書で示される様々な概念は、ＬＴＥアプリケーションによく適している。しかしながら、これらの概念は、ＮＲおよび５Ｇのような、他の電気通信規格に容易に拡張され得、それは、これらまたは他の変調および多元接続技法を用い得る。用いられる実際のワイヤレス通信規格および多元接続技術は、特定のアプリケーションおよびシステムに課せられる全体的な設計制約に依存するであろう。
【００３５】
[0048]ＢＳ２０４は、ＭＩＭＯ技術をサポートする複数のアンテナを有し得る。ＭＩＭＯ技術の使用は、ＢＳ２０４が、空間多重化、ビームフォーミング、および送信ダイバーシティをサポートするために空間領域を活用することを可能にする。空間多重化は、同じ周波数上で同時に異なるデータストリームを送信するために使用され得る。データストリームは、データレートを増大させるために単一のＵＥ２０６に、または、全体的なシステム容量を増大させるために複数のＵＥ２０６に、送信され得る。これは、各データストリームを空間的にプリコーディングし（例えば、振幅および位相のスケーリングを適用し）、その後、ＤＬ上で複数の送信アンテナを通じて各空間的にプリコーディングされたストリームを送信することによって達成される。空間的にプリコーディングされたデータストリームは、異なる空間シグネチャとともにＵＥ２０６に到着し、それは、ＵＥ２０６の各々が、そのＵＥ２０６宛ての１つまたは複数のデータストリームを復元することを可能にする。ＵＬ上では、各ＵＥ２０６は、空間的にプリコーディングされたデータストリームを送信し、それは、ＢＳ２０４が、各空間的にプリコーディングされたデータストリームのソースを識別することを可能にする。
【００３６】
[0049]空間多重化は概して、チャネル状態が良好なときに使用される。チャネル状態があまり良好でないときは、１つまたは複数の方向に送信エネルギーを集中させるために、ビームフォーミングが使用され得る。これは、複数のアンテナを通じて送信するためのデータを空間的にプリコーディングすることによって達成され得る。セルのエッジにおいて良好なカバレッジを達成するために、単一ストリームのビームフォーミング送信が、送信ダイバーシティとの組み合わせにおいて使用され得る。
【００３７】
[0050]以下の詳細な説明において、アクセスネットワークの様々な態様が、ＤＬ上でＯＦＤＭをサポートするＭＩＭＯシステムに関連して説明される。ＯＦＤＭは、ＯＦＤＭシンボル内の多数のサブキャリアにわたってデータを変調するスペクトル拡散技法である。
サブキャリアは、正確な周波数で離間されている。離間することは、受信機が、サブキャリアからのデータを復元することを可能にする「直交性」を提供する。時間領域では、ＯＦＤＭシンボル間干渉に対抗するために、各ＯＦＤＭシンボルにガード間隔（例えば、サイクリックプリフィックス）が追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００３８】
[0051]いくつかの例では、エアインターフェースへのアクセスが、スケジューリングされ得る。スケジューリングエンティティ（例えば、ＢＳ）は、そのサービスエリアまたはセル内で一部またはすべてのデバイスまたは機器間の通信のためのリソースを割り振ることができる。本開示内で、さらに以下で論じされるように、スケジューリングエンティティは、１つまたは複数の下位のエンティティのためのリソースをスケジューリングすること、割り当てること、再構成すること、およびリリースすることを担い得る。すなわち、スケジューリングされた通信では、下位のエンティティがスケジューリングエンティティによって割り振られたリソースを利用する。
【００３９】
[0052]ＢＳは、スケジューリングエンティティとして機能し得る唯一のエンティティではない。すなわち、いくつかの例では、ＵＥは、１つまたは複数の下位のエンティティ（例えば、１つまたは複数の他のＵＥ）のためのリソースをスケジューリングする、スケジューリングエンティティとして機能し得る。この例では、ＵＥは、スケジューリングエンティティとして機能し、他のＵＥは、ワイヤレス通信のためのＵＥによってスケジューリングされるリソースを利用する。ＵＥは、ピアツーピア（Ｐ２Ｐ）ネットワーク、および／または網状ネットワークにおいてスケジューリングエンティティとして機能し得る。網状ネットワークの例では、ＵＥは、スケジューリングエンティティと通信することに加えて互いに任意に直接通信し得る。
【００４０】
[0053]よって、時間周波数リソースへのスケジューリングされたアクセスを備え、セルラ構成、Ｐ２Ｐ構成、および網状構成を有するワイヤレス通信では、スケジューリングエンティティおよび１つまたは複数の下位のエンティティはスケジューリングされたリソースを利用して通信し得る。
【００４１】
[0054]図３は、アクセスネットワーク（例えば、アクセスネットワーク２００のような）におけるＤＬフレーム構造３００の例を例示する図である。フレーム（１０ｍｓ）は、０〜９のインデックスを有する１０個の等しいサイズのサブフレームに分割され得る。各サブフレームは、２つの連続するタイムスロットを含み得る。リソースグリッドが、２つのタイムスロットを表すために使用され得、各タイムスロットは、リソースブロック（ＲＢ）を含む。リソースグリッドは、複数のリソース要素（ＲＥ）に分割される。ある特定のシステム（例えば、ＬＴＥ）では、ＲＢは、周波数ドメインにおける１２個の連続したサブキャリアと、通常のサイクリックプレフィックスの場合、各ＯＦＤＭシンボル中に、時間ドメインにおける７個の連続したＯＦＤＭシンボルとを含み、すなわち、８４個のＲＥを含む。拡張されたサイクリックプレフィックスの場合、ＲＢは、時間ドメインにおける６個の連続したＯＦＤＭシンボルを含み、７２個のＲＥを有する。Ｒ３０２、Ｒ３０４と示されている、ＲＥのうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされるＲＢ上でのみ送信される。各ＲＥによって搬送されるビット数は、変調スキームに依存する。したがって、ＵＥが受信するＲＢが多いほど、および、変調スキームが高度であるほど、ＵＥのためのデータレートはより高くなる。
【００４２】
[0055]ある特定のシステム（例えば、ＬＴＥ）では、ＢＳは、ｅＮＢにおけるセルごとに、プライマリ同期信号（ＰＳＳ）およびセカンダリ同期信号（ＳＳＳ）を送り得る。ＰＳＳおよびＳＳＳは、通常のサイクリックプレフィクスの場合、各無線フレームのサブフレーム０および５の各々におけるシンボル期間６および５でそれぞれ送られ得る。同期信号は、セルの検出および獲得のためにＵＥによって使用され得る。ＢＳは、サブフレーム０のスロット１におけるシンボル期間０〜３において、物理ブロードキャストチャネル（ＰＢＣＨ）を送り得る。ＰＢＣＨは、ある特定のシステム情報を搬送し得る。
【００４３】
[0056]ＢＳは、各サブフレームの第１のシンボル期間において物理制御フォーマットインジケータチャネル（ＰＣＦＩＣＨ）を送り得る。ＰＣＦＩＣＨは、制御チャネルのために使用されるシンボル期間の数（Ｍ）を伝達し得、ここで、Ｍは、１、２または３に等しくなり得、サブフレームごとに変化し得る。Ｍはまた、例えば、１０個未満のＲＢを有する、小さいシステム帯域幅では、４に等しくなり得る。ＢＳは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送り得る。ＰＨＩＣＨは、ハイブリッド自動再送要求（ＨＡＲＱ）をサポートするための情報を搬送し得る。ＰＤＣＣＨは、ＵＥのためのリソース割り振りに関する情報と、ダウンリンクチャネルのための制御情報とを搬送し得る。ＢＳは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００４４】
[0057]ＢＳは、ＢＳによって使用されるシステム帯域幅の中心１．０８ＭＨｚで、ＰＳＳ、ＳＳＳ、およびＰＢＣＨを送り得る。ＢＳは、ＰＣＦＩＣＨおよびＰＨＩＣＨを、これらのチャネルが送られる各シンボル期間において、システム帯域幅全体にわたって送り得る。ＢＳは、システム帯域幅のある特定の部分において、ＵＥのグループにＰＤＣＣＨを送り得る。ＢＳは、システム帯域幅の特定の部分において特定のＵＥにＰＤＳＣＨを送り得る。ＢＳは、全てのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００４５】
[0058]多数のＲＥが、各シンボル期間において利用可能であり得る。各ＲＥは、１つのシンボル期間において１つのサブキャリアをカバーし得、１つの変調シンボルを送るために使用され得、それは、実数値または複素数値であり得る。各シンボル期間において基準信号のために使用されないＲＥは、リソース要素グループ（ＲＥＧ）に配置（arranged）され得る。各ＲＥＧは、１つのシンボル期間において、４つのリソース要素を含み得る。ＰＣＦＩＣＨは、４つのＲＥＧを占有し得、それらは、シンボル期間０において、周波数にわたってほぼ均等に間隔を空けられ得る。ＰＨＩＣＨは、３つのＲＥＧを占有し得、それらは、１つまたは複数の設定可能なシンボル期間において、周波数にわたって拡散され得る。例えば、ＰＨＩＣＨのための３つのＲＥＧは、全てシンボル期間０に属し得るか、またはシンボル期間０、１および２に拡散され得る。ＰＤＣＣＨは、例えば、最初のＭ個のシンボル期間において、９、１８、３６、または７２個のＲＥＧを占有し得、それらは、利用可能なＲＥＧから選択され得る。ＲＥＧのある特定の組み合わせのみが、ＰＤＣＣＨに対して許可され得る。
【００４６】
[0059]ＵＥは、ＰＨＩＣＨとＰＣＦＩＣＨのために使用される特定のＲＥＧを知り得る。ＵＥは、ＰＤＣＣＨについてＲＥＧの異なる組合せを探索し得る。探索すべき組合せの数は、典型的に、ＰＤＣＣＨに対して許可された組合せの数未満である。ＢＳは、ＵＥが探索するであろう組合せのうちの任意のものにおいて、ＵＥにＰＤＣＣＨを送り得る。
【００４７】
[0060]図４は、アクセスネットワーク（例えば、ＬＴＥ）におけるＵＬフレーム構造４００の例を例示する図である。ＵＬのために利用可能なＲＢは、データセクションと制御セクションとに分割され得る。制御セクションは、システム帯域幅の２つのエッジにおいて形成され得、設定可能なサイズを有し得る。制御セクションにおけるＲＢは、制御情報の送信のためにＵＥに割り当てられ得る。データセクションは、制御セクション中に含まれないすべてのＲＢを含み得る。ＵＬフレーム構造３００は、連続するサブキャリアを含むデータセクションをもたらし、これは、単一のＵＥに、データセクションにおけるすべての連続するサブキャリアが割り当てられることを可能にし得る。
【００４８】
[0061]ＵＥは、ＢＳに制御情報を送信するために、制御セクションにおけるＲＢ４１０ａ、４１０ｂを割り当てられ得る。ＵＥはまた、ＢＳにデータを送信するために、データセクションにおけるＲＢ４２０ａ、４２０ｂを割り当てられ得る。ＵＥは、制御セクションにおける割り当てられたリソースブロック上の物理ＵＬ制御チャネル（ＰＵＣＣＨ）において、制御情報を送信し得る。ＵＥは、データセクションにおける割り当てられたリソースブロック上の物理ＵＬ共有チャネル（ＰＵＳＣＨ）において、データのみ、またはデータと制御情報の両方を送信し得る。ＵＬ送信は、サブフレームの両方のスロットにまたがることができ、周波数にわたってホッピングすることができる。
【００４９】
[0062]ＲＢのセットは、物理ランダムアクセスチャネル（ＰＲＡＣＨ）４３０において、初期システムアクセスを実行し、ＵＬ同期を達成するために使用され得る。ＰＲＡＣＨ４３０は、ランダムシーケンスを搬送し、いずれのＵＬデータ／シグナリングも搬送することはできない。各ランダムアクセスプリアンブルは、６個の連続したＲＢに対応する帯域幅を占有する。開始周波数は、ネットワークによって指定される。すなわち、ランダムアクセスプリアンブルの送信は、ある特定の時間および周波数リソースに制限される。ＰＲＡＣＨについては、周波数ホッピングは存在しない。ＰＲＡＣＨの試みは、単一のサブフレーム（１ｍｓ）中、または少数の連続するサブフレームのシーケンス中で搬送され、ＵＥは、１フレーム（１０ｍｓ）につき単一のＰＲＡＣＨの試みのみを行うことができる。
【００５０】
[0063]（例えば、ＮＲまたは５Ｇシステムのような）ある特定のシステムでは、ＢＳは、これらのロケーションまたはサブフレームの異なるロケーションにおいて、これらまたは他の信号を送信し得る。図９および１０に関連して以下でより詳細に説明されるように、他のシステム（例えば、ＮＲまたは５Ｇシステム）では、異なるアップリンクおよび／またはダウンリンクフレーム構造が使用され得る。
【００５１】
[0064]図５は、例示的なアクセスネットワーク（例えば、ＬＴＥ）におけるユーザおよび制御プレーンのための無線プロトコルアーキテクチャの例を例示する図５００である。ＵＥおよびＢＳのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実現する。Ｌ１レイヤは、本明細書で物理レイヤ５０６と称される。レイヤ２（Ｌ２レイヤ）５０８は、物理レイヤ５０６より上位にあり、物理レイヤ５０６を介したＵＥとＢＳの間のリンクを担う。
【００５２】
[0065]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のＢＳにおいて終端される。示されていないが、ＵＥは、ネットワーク側のＰＤＮゲートウェイ１１８において終端されるネットワークレイヤ（例えば、ＩＰレイヤ）と、接続の他端（例えば、遠端のＵＥ、サーバなど）において終端されるアプリケーションレイヤとを含む、Ｌ２レイヤ５０８より上位のいくつかの上位レイヤを有し得る。
【００５３】
[0066]ＰＤＣＰサブレイヤ５１４は、異なる無線ベアラと論理チャネルとの間での多重化を提供する。ＰＤＣＰサブレイヤ５１４はまた、無線送信オーバヘッドを低減させるための上位レイヤデータパケットのためのヘッダ圧縮、データパケットを暗号化することによるセキュリティ、およびＢＳ間のＵＥのためのハンドオーバサポートを提供する。ＲＬＣサブレイヤ５１２は、上位レイヤデータパケットのセグメント化および再組立て、損失データパケットの再送、およびハイブリッド自動再送要求（ＨＡＲＱ）により順序が乱れた受信を補償するためのデータパケットの並べ替えを提供する。ＭＡＣサブレイヤ５１０は、論理チャネルとトランスポートチャネルの間の多重化を提供する。ＭＡＣサブレイヤ５１０はまた、ＵＥの間の１つのセルの中の様々な無線リソース（例えば、リソースブロック）を割り振ることを担う。ＭＡＣサブレイヤ５１０はまた、ＨＡＲＱ動作を担う。
【００５４】
[0067]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を取得すること、およびＢＳとＵＥとの間でＲＲＣシグナリングを使用して下位レイヤを構成することを担う。
【００５５】
[0068]図６は、本開示の態様が実施され得る、アクセスネットワークにおいてＵＥ６５０と通信するＢＳ６１０のブロック図である。ＤＬでは、コアネットワークからの上位レイヤパケットが、コントローラ／プロセッサ６７５に提供される。コントローラ／プロセッサ６７５は、Ｌ２レイヤの機能を実現する。ＤＬでは、コントローラ／プロセッサ６７５は、様々な優先順位メトリックに基づいて、ＵＥ６５０への無線リソースの割り振り、論理チャネルとトランスポートチャネルの間の多重化、パケットのセグメント化と並べ替え、暗号化、およびヘッダ圧縮を提供する。コントローラ／プロセッサ６７５はまた、ＨＡＲＱ動作、損失パケットの再送信、およびＵＥ６５０へのシグナリングを担う。
【００５６】
[0069]ＴＸプロセッサ６１６は、Ｌ１レイヤ（すなわち、物理レイヤ）のための様々な信号処理機能を実現する。信号処理機能は、ＵＥ６５０における前方誤り訂正（ＦＥＣ）を容易にするためのコーディングおよびインターリーブ、および様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づく信号コンステレーションへのマッピングを含む。その後、コーディングおよび変調されたシンボルは、並列ストリームに分割される。その後、各ストリームは、ＯＦＤＭサブキャリアにマッピングされ、時間および／または周波数ドメインにおいて基準信号（例えば、パイロット）と多重化され、その後、逆高速フーリエ変換（ＩＦＦＴ）を使用して共に組み合わされて、時間ドメインＯＦＤＭシンボルストリームを搬送する物理チャネルを生成する。ＯＦＤＭストリームは、複数の空間ストリームを生成するために、空間的にプリコーディングされる。チャネル推定器６７４からのチャネル推定値は、コーディングおよび変調スキームを決定するためのみならず、空間処理のためにも使用され得る。チャネル推定値は、ＵＥ６５０によって送信されたチャネル状態フィードバックおよび／または基準信号から導出され得る。その後、各空間ストリームは、別個の送信機６１８ＴＸを介して異なるアンテナ６２０に提供される。各送信機６１８ＴＸは、送信のためにそれぞれの空間ストリームでＲＦキャリアを変調する。
【００５７】
[0070]ＵＥ６５０では、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を提供する。ＲＸプロセッサ６５６は、Ｌ１レイヤの様々な信号処理機能を実現する。ＲＸプロセッサ６５６は、ＵＥ６５０に宛てられた任意の空間ストリームを復元するために、情報に空間処理を実行する。複数の空間ストリームがＵＥ６５０に宛てられている場合、それらは、ＲＸプロセッサ６５６によって単一のＯＦＤＭシンボルストリームに組み合わされ得る。その後、ＲＸプロセッサ６５６は、高速フーリエ変換（ＦＦＴ）を使用して、ＯＦＤＭシンボルストリームを時間ドメインから周波数ドメインに変換する。周波数ドメイン信号は、ＯＦＤＭ信号のサブキャリアごとに別個のＯＦＤＭシンボルストリームを備える。各サブキャリア上のシンボル、および基準信号は、ｅＮＢ６１０によって送信される、最も可能性の高い信号コンステレーションポイントを判断することによって復元および復調される。これらの軟判定は、チャネル推定器６５８によって計算されたチャネル推定値に基づき得る。その後、軟判定は、物理チャネル上でｅＮＢ６１０によって当初送信されたデータおよび制御信号を復元するために、復号およびデインタリーブされる。その後、データおよび制御信号は、コントローラ／プロセッサ６５９に提供される。
【００５８】
[0071]コントローラ／プロセッサ６５９は、Ｌ２レイヤを実現する。コントローラ／プロセッサは、プログラムコードおよびデータを記憶するメモリ６６０に関連付けられることができる。メモリ６６０はコンピュータ可読媒体と称され得る。ＵＬでは、コントローラ／プロセッサ６５９は、コアネットワークからの上位レイヤパケットを復元するために、トランスポートチャネルと論理チャネルの間の逆多重化、パケットの再組立て、暗号解読、ヘッダ圧縮解除、制御信号処理を提供する。その後、上位レイヤパケットは、データシンク６６２に提供され、それは、Ｌ２レイヤより上位の全てのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００５９】
[0072]ＵＬでは、データソース６６７が、コントローラ／プロセッサ６５９に上位レイヤパケットを提供するために使用される。データソース６６７は、Ｌ２レイヤより上位の全てのプロトコルレイヤを表す。ＢＳ６１０によるＤＬ送信に関して説明された機能と同様に、コントローラ／プロセッサ６５９は、ＢＳ６１０による無線リソース割り振りに基づいて、論理チャネルとトランスポートチャネルの間の多重化、パケットセグメント化と並べ替え、暗号化、およびヘッダ圧縮を提供することによって、ユーザプレーンおよび制御プレーンのためのＬ２レイヤを実現する。コントローラ／プロセッサ６５９はまた、ＨＡＲＱ動作、損失パケットの再送信、およびＢＳ６１０へのシグナリングを担う。
【００６０】
[0073]ＢＳ６１０によって送信されたフィードバックまたは基準信号からチャネル推定器６５８によって導出されたチャネル推定値は、適切なコーディングおよび変調スキームを選択し、空間処理を容易にするために、ＴＸプロセッサ６６８によって使用され得る。ＴＸプロセッサ６６８によって生成される空間ストリームは、別個の送信機６５４ＴＸを介して異なるアンテナ６５２に提供される。各送信機６５４ＴＸは、送信のためにそれぞれの空間ストリームでＲＦキャリアを変調する。
【００６１】
[0074]ＵＬ送信は、ＵＥ６５０における受信機機能に関して説明されたのと同様の方法でｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０に情報を提供する。ＲＸプロセッサ６７０は、Ｌ１レイヤを実現し得る。
【００６２】
[0075]コントローラ／プロセッサ６７５は、Ｌ２レイヤを実現する。コントローラ／プロセッサ６７５は、プログラムコードおよびデータを記憶するメモリ６７６に関連付けられ得る。メモリ６７６は、コンピュータ可読媒体と称され得る。ＵＬでは、コントローラ／プロセッサ６７５は、ＵＥ６５０からの上位レイヤパケットを復元するために、トランスポートチャネルと論理チャネルの間の逆多重化、パケットの再組立て、暗号解読、ヘッダ圧縮解除、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用した誤り検出を担う。コントローラ／プロセッサ６７５および６５９は、それぞれＢＳ６１０およびＵＥ６５０における動作を指示し得る。
【００６３】
[0076]ＢＳ６１０におけるコントローラ／プロセッサ６７５および／または他のプロセッサとモジュールは、異なるＴＴＩタイプを使用する送信のためのリソース管理のために本明細書に説明される技法のための動作、例えば、図１２における動作１２００、および／または他の処理を実行または指示し得る。ＢＳ６５０におけるコントローラ／プロセッサ６５９および／または他のプロセッサとモジュールは、異なるＴＴＩタイプを使用する送信のためのリソース管理のために本明細書に説明される技法のための動作、例えば、図１１における動作１１００、および／または他の処理を実行または指示し得る。ある特定の態様において、図６に示される任意のコンポーネントのうちの１つまたは複数は、本明細書に説明される技法のための実例的な動作１１００と１２００および／または他の処理を実行するために用いられ得る。メモリ６６０および６７６は、ＵＥ６５０およびＢＳ６１０の１つまたは複数の他のコンポーネントによって利用可能であり、実行可能な、ＵＥ６５０およびＢＳ６１０のためのデータコードおよびプログラムコードをそれぞれ記憶し得る。
例示的なＮＲ／５Ｇ ＲＡＮアーキテクチャ
【００６４】
[0077]本明細書で説明される例の態様はＬＴＥ技術に関連付けられ得るが、本開示の態様は、ＮＲまたは５Ｇ技術のような、他のワイヤレス通信システムと共に適用可能であり得る。
【００６５】
[0078]新たな無線（ＮＲ）は、（例えば、直交周波数分割多元接続（ＯＦＤＭＡ）ベースのエアインターフェース以外の）新たなエアインターフェースまたは（例えば、インターネットプロトコル（ＩＰ）以外の）固定されたトランスポートレイヤにしたがって動作するように構成された無線を指し得る。ＮＲは、アップリンクおよびダウンリンク上でサイクリックプリフィックス（ＣＰ）を備えたＯＦＤＭを利用し得、時分割復信（ＴＤＤ）を使用する半二重動作のためのサポートを含み得る。ＮＲは、広帯域（例えば、８０ＭＨｚ以上）を対象とした拡張モバイルブロードバンド（ｅＭＢＢ）サービス、高キャリア周波数（例えば、６０ＧＨｚ）を対象としたミリメートル波（ｍｍＷ）、後方互換性のないＭＴＣ技法を対象としたマッシブＭＴＣ（ｍＭＴＣ：massive MTC）、および／または超信頼性の高い低レイテンシ通信（ＵＲＬＬＣ：ultra-reliable low latency communications）サービスを対象としたミッションクリティカル（mission critical）を含み得る。
【００６６】
[0079]１００ＭＨＺのシングルコンポーネントキャリア帯域幅がサポートされ得る。一例において、ＮＲリソースブロック（ＲＢ）は、０．１ｍｓ持続時間にわたって７５ｋＨｚのサブキャリア帯域幅、または１ｍｓ持続時間にわたって１５ｋＨｚの帯域幅で１２個のサブキャリアに広がり得る。各無線フレームは、１０ｍｓの長さを有する１０または５０個のサブフレームから成る。各サブフレームは、０．２ｍｓの長さを有し得る。各サブフレームは、データ送信のためのリンク方向（すなわち、ＤＬまたはＵＬ）を示し得、各サブフレームのためのリンク方向は、動的に交換され得る。各サブフレームは、ＤＬ／ＵＬデータ並びにＤＬ／ＵＬ制御データを含み得る。ＮＲのためのＵＬおよびＤＬサブフレームは、図９および１０に関連して以下により詳細に説明され得る。
【００６７】
[0080]ビームフォーミングがサポートされ得、ビーム方向が動的に構成され得る。プリコーディングを伴うＭＩＭＯ送信もまた、サポートされ得る。ＤＬにおけるＭＩＭＯ構成は、最大８個のストリームおよびＵＥごとに最大２個のストリームのマルチレイヤＤＬ送信を用いる最大８個の送信アンテナをサポートし得る。ＵＥごとに最大２個のストリームを用いるマルチレイヤ送信がサポートされ得る。複数のセルのアグリゲーションは、最大８個のサービングセルでサポートされ得る。あるいは、ＮＲは、ＯＦＤＭベースのインターフェース以外の異なるエアインターフェースをサポートし得る。
【００６８】
[0081]ＮＲ ＲＡＮは、中央ユニット（ＣＵ）および分散型ユニット（ＤＵ）を含み得る。ＮＲ ＢＳ（例えば、ｇＮＢ、５ＧノードＢ、ノードＢ、送信受信ポイント（ＴＲＰ）、アクセスポイント（ＡＰ））は、１つまたは複数のＢＳに対応し得る。ＮＲセルは、アクセスセル（ＡＣｅｌｌ）またはデータのみのセル（ＤＣｅｌｌ：data only cells）として構成されることができる。例えば、ＲＡＮ（例えば、中央ユニットまたは分散型ユニット）は、セルを構成することができる。ＤＣｅｌｌは、キャリアアグリゲーションまたは二重接続に使用されるセルであり得、初期アクセス、セル選択／再選択、またはハンドオーバには使用されない場合がある。いくつかのケースでは、ＤＣｅｌｌは同期信号（ＳＳ）を送信しない場合があり、いくつかのケースでは、ＤＣｅｌｌはＳＳを送信し得る。ＮＲ ＢＳは、セルタイプを示すダウンリンク信号をＵＥに送信し得る。セルタイプのインジケーションに基づいて、ＵＥは、ＮＲ ＢＳと通信し得る。例えば、ＵＥは、示されたセルタイプに基づいて、セル選択、アクセス、ハンドオーバ、および／または測定について考慮すべきＮＲ ＢＳを決定し得る。
【００６９】
[0082]図７は、本開示の態様にしたがった、分散型ＲＡＮ７００の例示的な論理アーキテクチャを例示する。５Ｇアクセスノード７０６は、アクセスノードコントローラ（ＡＮＣ）７０２を含み得る。ＡＮＣは、分散型ＲＡＮ７００の中央ユニット（ＣＵ）であり得る。次世代型コアネットワーク（ＮＧ−ＣＮ）７０４に対するバックホールインターフェースは、ＡＮＣにおいて終端され得る。隣接する次世代アクセスノード（ＮＧ−ＡＮ）に対するバックホールインターフェースは、ＡＮＣにおいて終端され得る。ＡＮＣは、１つまたは複数のＴＲＰ７０８（ＢＳ、ＮＲ ＢＳ、ノードＢ、５Ｇ ＮＢ、ＡＰ、または何らかの他の用語でも称され得る）を含み得る。上述したように、ＴＲＰは、「セル」と交互に使用され得る。
【００７０】
[0083]ＴＲＰ７０８は、分散型ユニット（ＤＵ）であり得る。ＴＲＰは、１つのＡＮＣ（ＡＮＣ７０２）または２つ以上のＡＮＣ（図示せず）に接続され得る。例えば、ＲＡＮの共有、サービスとしての無線（ＲａａＳ：radio as a service）、およびサービス固有のＡＮＤ展開では、ＴＲＰは、２つ以上のＡＮＣに接続され得る。ＴＲＰは、１つまたは複数のアンテナポートを含み得る。ＴＲＰは、ＵＥにトラフィックを個別に（例えば、動的選択）または共同で（例えば、共同送信）サービス提供するように構成され得る。
【００７１】
[0084]ローカルアーキテクチャ７００は、フロントホール定義を例示するために使用され得る。異なる展開タイプにわたってフロントホールソリューションをサポートするアーキテクチャが定義され得る。例えば、アーキテクチャは、送信ネットワーク能力（例えば、帯域幅、レイテンシ、および／またはジッター）に基づき得る。アーキテクチャは、ＬＴＥと特徴および／またはコンポーネントを共有し得る。態様によると、次世代型ＡＮ（ＮＧ−ＡＮ）７１０は、ＮＲとの二重接続をサポートし得る。ＮＧ−ＡＮは、ＬＴＥおよびＮＲのための共通フロントホールを共有し得る。
【００７２】
[0085]アーキテクチャは、複数のＴＲＰ７０８間で、およびその中での連携を可能にし得る。例えば、連携は、ＡＮＣ７０２を介して１つのＴＲＰ内で、および／または複数のＴＲＰにわたって事前に設定され得る。態様によると、ＴＲＰ間インターフェースは必要とされない／存在しない場合がある。
【００７３】
[0086]態様によると、分割論理機能の動的構成は、アーキテクチャ７００内に存在し得る。ＰＤＣＰ、ＲＬＣ、ＭＡＣプロトコルは、ＡＮＣまたはＴＲＰにおいて適応的に配置され得る。
【００７４】
[0087]図８は、本開示の態様にしたがった、分散型ＲＡＮ８００の例示的な物理アーキテクチャを例示する。集中型コアネットワークユニット（Ｃ−ＣＵ）８０２は、コアネットワーク機能をホストし得る。Ｃ−ＣＵは、中央に展開され得る。Ｃ−ＣＵ機能は、ピーク容量に対処するために、（例えば、アドバンストワイヤレスサービス（ＡＷＳ：advanced wireless services）に）オフロードされ得る。集中型ＲＡＮユニット（Ｃ−ＲＵ）８０４は、１つまたは複数のＡＮＣ機能をホストし得る。任意で、Ｃ−ＲＵは、コアネットワーク機能をローカルにホストし得る。Ｃ−ＲＵは、分散型展開を有し得る。Ｃ−ＲＵは、ネットワークエッジにより近くにあり得る。分散型ユニット（ＤＵ）７０６は、１つまたは複数のＴＲＰをホストし得る。ＤＵは、無線周波数（ＲＦ）機能を有してネットワークのエッジに配置され得る。
【００７５】
[0088]図９は、ＤＬ中心サブフレームの例を示す図９００である。ＤＬ中心サブフレームは、制御部９０２を含み得る。制御部９０２は、ＤＬ中心サブフレームの初期または開始部に存在し得る。制御部９０２は、ＤＬ中心サブフレームの様々な部分に対応する様々なスケジューリング情報および／または制御情報を含み得る。いくつかの構成において、制御部９０２は、図９に示されるように、物理ＤＬ制御チャネル（ＰＤＣＣＨ）であり得る。ＤＬ中心サブフレームはまた、ＤＬデータ部９０４を含み得る。ＤＬデータ部９０４は、ＤＬ中心サブフレームのペイロードと称されることもあり得る。ＤＬデータ部９０４は、スケジューリングエンティティ（例えば、ＵＥまたはＢＳ）から下位のエンティティ（例えば、ＵＥ）にＤＬデータを通信するために利用される通信リソースを含み得る。いくつかの構成において、ＤＬデータ部９０４は、物理ＤＬ共有チャネル（ＰＤＳＣＨ）であり得る。
【００７６】
[0089]ＤＬ中心サブフレームはまた、共通ＵＬ部９０６を含み得る。共通ＵＬ部９０６は、ＵＬバースト、共通ＵＬバースト、および／または様々な他の適切な用語で称されることもあり得る。共通ＵＬ部９０６は、ＤＬ中心サブフレームの様々な他の部分に対応するフィードバック情報を含み得る。例えば、共通ＵＬ部９０６は、制御部９０２に対応するフィードバック情報を含み得る。フィードバック情報の非限定的な例は、ＡＣＫ信号、ＮＡＣＫ信号、ＨＡＲＱインジケータ、および／または様々な他の適切なタイプの情報を含み得る。共通ＵＬ部９０６は、ランダムアクセスチャネル（ＲＡＣＨ）手順、スケジューリングリクエスト（ＳＲ）および様々な他の適切なタイプの情報に関する情報のような、追加または代替情報を含み得る。図９に例示されるように、ＤＬデータ部９０４の端部は、共通ＵＬ部９０６の開始から時間的に分離され得る。この時間分離は、ギャップ、ガード期間、ガード間隔、および／または様々な他の適切な用語でも称されることもあり得る。この分離は、ＤＬ通信（例えば、下位のエンティティ（例えば、ＵＥ）による受信動作）からＵＬ通信（例えば、下位のエンティティ（例えば、ＵＥ）による送信）に切り替えるための時間を提供する。当業者であれば、前述が単なるＤＬ中心サブフレームの一例にすぎず、同様の特徴を有する代替構造が本明細書で説明される態様から必ずしも逸脱することなく存在し得ることを理解するだろう。
【００７７】
[0090]図１０は、ＵＬ中心サブフレームの例を示す図１０００である。ＵＬ中心サブフレームは、制御部１００２を含み得る。制御部１００２は、ＵＬ中心サブフレームの初期または開始部に存在し得る。図１０の制御部１００２は、図９に関連して上述された制御部１００２と類似し得る。ＵＬ中心サブフレームはまた、ＵＬデータ部１００４を含み得る。ＵＬデータ部１００４は、ＵＬ中心サブフレームのペイロードと称されることもあり得る。ＵＬデータ部は、下位のエンティティ（例えば、ＵＥ）からスケジューリングエンティティ（例えば、ＵＥまたはＢＳ）にＵＬデータを通信するために利用される通信リソースを指し得る。いくつかの構成において、制御部１００２は、物理ダウンリンク制御チャネル（ＰＤＣＣＨ）であり得る。
【００７８】
[0091]図１０に例示されるように、制御部１００２の端部は、ＵＬデータ部１００４の開始から時間的に分離され得る。この時間分離は、ギャップ、ガード期間、ガード間隔、および／または様々な他の適切な用語でも称されることもあり得る。この分離は、ＤＬ通信（例えば、スケジューリングエンティティによる受信動作）からＵＬ通信（例えば、スケジューリングエンティティによる送信）に切り替えるための時間を提供する。ＵＬ中心サブフレームはまた、共通ＵＬ部１００６を含み得る。図１０の共通ＵＬ部１００６は、図１０に関連して上述された共通ＵＬ部１００６と類似し得る。共通ＵＬ部１００６は、チャネル品質インジケータ（ＲＡＣＨ）、サウンディング基準信号（ＳＲＳ）および様々な他の適切なタイプの情報に関する情報を追加または代替として含み得る。当業者であれば、前述が単なるＵＬ中心サブフレームの一例にすぎず、同様の特徴を有する代替構造が本明細書で説明される態様から必ずしも逸脱することなく存在し得ることを理解するだろう。
【００７９】
[0092]いくつかの状況において、２つ以上の下位のエンティティ（例えば、ＵＥ）は、サイドリンク信号を使用して互いに通信し得る。そのようなサイドリンク通信の現実世界のアプリケーションは、パブリックセーフティ、近接サービス、ＵＥネットワーク間リレー、車間（Ｖ２Ｖ）通信、全てのモノのインターネット（ＩｏＥ）通信、ＩｏＴ通信、ミッションクリティカルメッシュ、および／または様々な他の適切なアプリケーションを含み得る。概して、サイドリンク信号は、たとえスケジューリングエンティティがスケジューリングおよび／または制御目的のために利用され得るとしても、スケジューリングエンティティ（例えば、ＵＥまたはＢＳ）を通してその通信をリレーすることなしに、１つの下位のエンティティ（例えば、ＵＥ１）から別の下位のエンティティ（例えば、ＵＥ２）に通信される信号を指し得る。いくつかの例では、サイドリンク信号は、認可スペクトルを使用して通信され得る（無認可スペクトルを典型的に使用する、ワイヤレスローカルエリアネットワークとは異なる）。
ＵＬＬ送信およびレガシ送信のためのリソース管理のための例示的な技法
【００８０】
[0093]ある特定のロングタームエボリューション（ＬＴＥ）システムのような、ある特定のシステムは、（例えば、図４に示されるように）１ｍｓの送信時間間隔（ＴＴＩ）を使用する。これらは、本明細書で「レガシ」システムおよび「レガシ」ＴＴＩと称され得る。
【００８１】
[0094]本明細書に提示される特定の態様にしたがって、ワイヤレス通信ネットワーク（例えば、図１および２に例示されているようなネットワーク１００および２００）における１つまたは複数のデバイス（例えば、ワイヤレスデバイス、ワイヤレスノード、等）は、低レイテンシ（または超低レイテンシ「ＵＬＬ」）通信をサポートし得る。本明細書に使用される場合、超低レイテンシ能力という用語は、概して、その能力を欠いているデバイス（例えば、いわゆる「レガシ」デバイス）と比較して低レイテンシである特定の手順を実行するための能力を指す。１つの実現では、ＵＬＬ能力は、１ｍｓ（１ｍｓは従来のＬＴＥサブフレーム持続時間に対応する）よりも短い送信時間間隔（ＴＴＩ）長をサポートするための能力を指す。
【００８２】
[0095]概して、低レイテンシ能力をサポートするそのようなデバイスは、アドバンストアンテナ構成、協調マルチポイント（ＣｏＭＰ）送信および／または受信、アドバンスト干渉管理技法、および同様のものをサポートし得る。
【００８３】
[0096]低レイテンシ通信は、レガシＴＴＩ長に比較して低減されたＴＴＩ長の使用によって可能になり得る。いくつかのケースでは、ＴＴＩは例えば、１つのシンボル、２つのシンボル、３つのシンボル、４つのシンボル、１つのスロット、等、１ｍｓのサブフレームより短くあり得る。
【００８４】
[0097]いくつかのケースでは、仕様および実現への最小限の影響（minimal specification and implementation impact）、並びに後方互換性を可能にするためにＬＴＥニューメロロジーのような、既存のメカニズムを再利用することが望ましくあり得る。例えば、低レイテンシシステムは、レガシシステムのようなシステム情報ブロック（ＳＩＢ）、ページング、ランダムアクセスチャネル（ＲＡＣＨ）、一次同期信号（ＰＳＳ）、二次同期信号（ＳＳＳ）、および物理ブロードキャストチャネル（ＰＢＣＨ）手順のような手順を維持し得る。
【００８５】
[0098]これは、レガシ１ｍｓベースのＬＴＥ ＵＥおよびＵＬＬワイヤレスデバイスのスムーズな統合（例えば、共存）に役立ち得る。１つの実現では、ＵＬＬデバイスおよびレガシＵＥは、サブフレームにおいて周波数分割多重化（ＦＤＭ）され得る。（例えば、異なるＴＴＩによる）リソースフラグメンテーションおよび干渉変化を最小限にすることが望ましくあり得る（例えば、干渉変化への１ｍｓの依存の代わりに、ＵＬＬは１ｍｓより短い時間スケールでの干渉変化をもたらし得る）。
【００８６】
[0099]加えて、セルにおける異なるＵＥは、異なるＴＴＩ長（本明細書では異なるＴＴＩ「タイプ」とも称される）で動作し得る。例えば、１つのＵＥが２つのシンボルのＴＴＩを使用し得、セルにおける別のＵＥが１つのスロットのＴＴＩを使用し得る。同様に、単一のＵＥは、異なるＴＴＩタイプで、動的にスケジューリングされ得る、半永続的にスケジューリングされ得る、または半静的に構成され得る。一例では、ＵＥは、アップリンクでは１つのＴＴＩタイプを、ダウンリンクでは異なるＴＴＩタイプを使用し得る。一例では、ＵＥは、異なるサブフレームにおいて異なるＴＴＩを使用し得る。別の例では、ＵＥは、異なるコンポーネントキャリアに対して異なるＴＴＩタイプを使用し得る。
【００８７】
[0100]したがって、干渉協調およびリソース管理を容易にするためのＵＬＬサービスを構成するための技法が望ましい。
【００８８】
[0101]よって、本開示の態様は、ＵＬＬ送信およびレガシ送信のためのリソース管理のための技法を提供する。例えば、異なるリソース構成は、異なるＴＴＩのために決定されることができる。
【００８９】
[0102]図１１は、例えば、本開示のある特定の態様にしたがった、異なるＴＴＩタイプを備える送信のリソース管理のために、ワイヤレスデバイス（例えば、ＵＥ１０２がＵＬＬ可能なＵＥであり得る）によって、実行されることができる例示的な動作１１００を例示する。動作１１００は、１１０２において、第１の送信時間間隔（ＴＴＩ）（例えば、２つのシンボル）に基づく第１の構成（例えば、リソース構成）および第２のＴＴＩ（例えば、１つのスロット）に基づく第２の構成を（例えば、１つのビットマップまたは複数のビットマップを介して）示す情報（例えば、動的に、半永続的に、または半静的にシグナリングされた情報）を受信することによって開始し、ここにおいて、第１のＴＴＩおよび第２のＴＴＩは各々、第３のＴＴＩ（例えば、１ミリ秒のＴＴＩ）よりも短く、第１のＴＴＩおよび第２のＴＴＩは異なる。１１０４において、ＵＥは、第１の構成にしたがった第１のＴＴＩに基づいて、および第２の構成にしたがった第２のＴＴＩに基づいて通信する。異なるＴＴＩは、アップリンクまたはダウンリンク通信、異なるコンポーネントキャリア、および／または異なるサブフレームのセットに使用されるように構成され得る。
【００９０】
[0103]図１２は、例えば、本開示のある特定の態様にしたがった、異なるＴＴＩタイプを備える送信のリソース管理のために基地局（例えば、基地局１０６、１０８）によって、実行されることができる例示的な動作１２００を例示する。動作１２００は、ＵＥによって実行される動作１１００に対応する基地局による動作であり得る。動作１２００は、１２０２において、第１のＴＴＩ（例えば、２つのシンボル）および第２のＴＴＩ（例えば、１つのスロット）を決定することによって開始し、ここにおいて、第１のＴＴＩおよび第２のＴＴＩは各々、第３のＴＴＩ（例えば、１ミリ秒のＴＴＩ）よりも短く、第１のＴＴＩおよび第２のＴＴＩは異なる。８０４において、基地局は、第１のＴＴＩに基づく第１の構成（例えば、リソース構成）および第２のＴＴＩに基づく第２の構成を決定する。８０６において、基地局は、第１のＴＴＩのための第１の構成および第２のＴＴＩのための第２の構成を（例えば、１つのビットマップまたは複数のビットマップを介して）示す情報を送信する。第１のＴＴＩおよび第２のＴＴＩは、同じＵＥまたは異なるＵＥのためのものであり得る。
【００９１】
[0104]図１３は、本開示のある特定の態様にしたがった、低レイテンシ送信およびレガシ送信のためのリソース管理が可能な例示的なＵＥ１３１２およびＢＳ１３０２を概念的に例示するブロック図である。
【００９２】
[0105]図１３に図示されるように、ＢＳ１３０２は、ＴＴＩ決定モジュール１３０４、構成決定モジュール１３０６、通信モジュール１３０８、およびアンテナ１３１０を含む。ＵＥ１３１２は、ＴＴＩ決定モジュール１３１４、構成識別モジュール１３１６、通信モジュール１３１８、およびアンテナ１３２０を含む。本明細書で説明されるように、ＴＴＩ決定モジュール１３０４は、例えば、異なる長さ（例えば、１つのスロット、２つのｙｍｂｏｌ、または１ｍｓ長）を有する異なるＴＴＩを決定または識別し得る。構成モジュール１３０６は、異なるＴＴＩのために異なる構成（例えば、異なるリソースのセット）を決定し得る。通信モジュール１３０８は、アンテナ１３１０を介して（または複数のアンテナを介して）、ＵＥ１３１２に構成および／またはＴＴＩのインジケーションを送信し得る。ＵＥ１３１２は、アンテナ１３２０および通信モジュール１３１８を介して、構成および／またはＴＴＩのインジケーションを受信し得る。ＴＴＩ決定モジュール１３１４および／または構成識別モジュール１３１６は、ＴＴＩおよび関連する構成を識別／決定するために識別子を使用し得る。ＵＥ１３１２の通信モジュール１３１８は、示されたＴＴＩおよび／またはリソース構成にしたがって、アンテナ１３１０および１３２０を介して、ＢＳ１３０４と通信し得る。
【００９３】
[0106]ある特定の態様よると、ＵＬＬリソース構成は、ＴＴＩタイプごとのベースで実行され得る。例えば、ＵＥが、２つのシンボルのＴＴＩおよび１つのスロットのＴＴＩのような、異なるＴＴＩタイプで構成される場合、ＵＥは、異なるＴＴＩタイプのためのリソースの異なるセットで構成され得る。この例では、ＵＥは、２つのシンボルのＴＴＩについてはリソースの第１のセットで、１つのスロットのＴＴＩについてはリソースの別のセットで構成されることができる。よって、ＵＥは、ＵＬＬサービスのための複数のリソース構成で構成され得る。ある特定の態様によると、２つのシンボルのＴＴＩ、１つのスロットのＴＴＩ、および１ｍｓのＴＴＩの異なる組み合わせが構成され得る。
【００９４】
[0107]１つの例示的な実現では、異なるＴＴＩのためのリソース構成は、ＢＳによってＵＥにシグナリングされ得る。例えば、ＵＬＬリソースのセットは、１つのビットマップまたは複数のビットマップによって示され得る。ＢＳから受信されたビットマップにおけるビットの値は、ＴＴＩのために構成されるべきリソースを示し得る。ビットマップにおいて示されるリソースの粒度（granularity）は、すべてのＴＴＩについて同じであり得る、あるいは、リソースの粒度は、異なるＴＴＩごとに異なり得る。一例では、ビットマップは、すべてのＴＴＩのためのリソースブロックを示し得る。態様において、２つのシンボルのＴＴＩでは、リソースの粒度は、４つのＲＢであり得、１つのスロットのＴＴＩでは、リソースの粒度は、２つのＲＢであり得る。しかしながら、他のリソースの粒度および他のＴＴＩタイプが使用される可能性がある。ある特定の態様によると、これは、拡張型マシンタイプ通信（ｅＭＴＣ）または狭帯域モノのインターネット（ＮＢ−ＩｏＴ）のような、他のサービスのためのＲＢの予約を容易にし得る。ある特定の態様によると、異なるビットマップが、異なるリソース構成に使用され得る。
【００９５】
[0108]ある特定の態様によると、異なるＵＬＬリソース（および異なるＴＴＩ長）は、異なるチャネルのために構成され得る。例えば、ＵＬＬリソース構成は、制御チャネル、データチャネル、または両方の組み合わせのためのものであり得る。同じリソース構成は、制御チャネルおよびデータチャネルの両方に適用可能であり得る。あるいは、第１のリソース構成が制御チャネルのために構成され得、その一方で、第２のリソース構成がデータチャネルのために構成され得る。
【００９６】
[0109]ある特定の態様よると、ＵＬＬリソースのセットは、キャリアごとのベースで使用されるように構成されることができる。例えば、異なるＴＴＩおよび／または異なるリソースのセットは、異なるコンポーネントキャリア上の通信のために構成され得る。
【００９７】
[0110]ある特定の態様によると、ＵＬＬリソースは、アップリンクおよびダウンリンクのために使用されるように別々に構成されることができる。いくつかのケースでは、ＵＬおよびＤＬは、異なるシステム帯域幅を有し得る。異なるＴＴＩおよび／または異なるリソースのセットがアップリンク通信およびダウンリンク通信のために構成され得る。いくつかのケースでは、ＵＬおよびＤＬは、同じＴＴＩおよび／またはリソースのセットで構成され得る。例えば、ＵＬおよびＤＬは、１つのスロットのＴＴＩ、２つのシンボルのＴＴＩ、および／または１ｍｓのＴＴＩのいずれかの組み合わせを使用し得る。
【００９８】
[0111]ある特定の態様によると、ＵＬＬリソースのセットは、サブフレームの異なるセットのために別々に構成されることができる。例えば、異なるＴＴＩおよび／または異なるリソースのセットは、異なるサブフレームまたは異なるサブフレームのサブセットのために構成され得る。１つの例示的な実現では、ＵＬＬリソース構成は、サブフレームのサブセットのみに適用可能であり得、ＵＬＬサービスは、他のサブフレームについてはサポートされない（または帯域幅全体においてはサポートされない）可能性がある。これは、例えば、ＵＬＬがいくつかのサブフレームに対して有効ではない可能性がある、時分割復信（ＴＤＤ）システムに適用可能であり得る。別の例示的な実現では、１つのリソース構成は、サブフレームのサブセットのために構成され得、異なるリソース構成は、サブフレームの異なるサブセットのために構成され得る。サブフレームの各セットは、異なる干渉特性に関連付けられ得る。ＮＢ−ＩｏＴおよびｅＭＴＣは、サブフレームのサブセットにおけるいくつかのＲＢを使用し得るので、サブフレーム依存のＵＬＬリソースのセットの割り振りは、他のサービスとの共存を容易にし得る。
【００９９】
[0112]ある特定の態様によると、ＵＬＬリソースのセットがＴＴＩのために構成された場合、システム帯域幅のシステムのサブセットがＴＴＩのために管理され得る。１つの例示的な実現では、ダウンリンク制御情報（ＤＣＩ）におけるリソース割り当て（例えば、ＤＣＩの少なくとも１つのフィールド）は、システム帯域幅全体に基づいて設計されることができる。このアプローチは、異なるＴＴＩ（例えば、１ｍｓのＴＴＩ対１つのスロットのＴＴＩ）にわたるＣＳＩ測定報告の相互作用を容易にし得る。一例として、両方のＴＴＩが同じＣＳＩ測定帯域幅を有する場合、差分ＣＱＩが、１ｍｓのＴＴＩに基づいて報告されたＣＱＩに対して１つのスロットのＴＴＩのためにサポートされ得る。あるいは、ＤＣＩにおけるリソース割り当ては、構成されたＵＬＬリソースのセットに基づくことができる。例えば、システム帯域幅の半分のみがＴＴＩのために構成された場合、ＤＣＩにおけるリソース割り振り情報フィールドは、そのＴＴＩのために構成された半分のシステム帯域幅に基づくことができる。
【０１００】
[0113]別の実現では、ＵＬＬのためのチャネル状態情報（ＣＳＩ）フィードバックが帯域幅全体に基づき得る。例えば、ＵＥは、帯域幅全体に基づいてＣＳＩフィードバックのための測定を実行し得る。あるいは、ＵＬＬのためのＣＳＩフィードバックは、構成されたＵＬＬリソース（例えば、ＵＬＬ帯域幅）に基づき得る。例えば、システム帯域幅の半分のみがＴＴＩのために構成された場合、ＵＥは、そのＴＴＩのための半分のシステム帯域幅に基づいてＣＳＩフィードバックための測定を実行し得る。ＵＥはまた、そのＴＴＩのための半分のシステム帯域幅に基づくＣＳＩフィードバックを実行する。結果として、（例えば、ＣＳＩ測定帯域幅の減少により）ＣＳＩ測定の複雑さが低減され得る、および／または（例えば、ＣＳＩ測定帯域幅の減少により）ＣＳＩフィードバックオーバヘッドが低減され得る。
【０１０１】
[0114]ある特定の態様によると、ＴＴＩのためのＵＬＬ帯域幅（例えば、ＲＢ）は、基地局にわたって共有されることができる。例えば、ＵＬＬリソース管理に関する情報は、バックホールを介して（例えば、ＢＳ間で）交換され得る。ＢＳは、バックホールを介して受信された情報に基づいて異なるＴＴＩのためのリソースのセットに関する情報を決定し得、この情報を拡張型干渉管理に利用し得る。ＢＳはまた、ＵＥでの強化された干渉対応のためにＢＳによってサービス提供されるＵＥにそのような情報を示し得る。バックホール情報を交換することは、セル間干渉協調を向上させ得る。
【０１０２】
[0115]本明細書で開示された方法は、説明された方法を達成するための１つまたは複数のステップまたはアクションを備える。方法のステップおよび／またはアクションは、特許請求の範囲から逸脱することなく互いに置き換えられ得る。言い換えれば、ステップまたはアクションの特定の順序が明記されない限り、特定のステップおよび／またはアクションの順序および／または使用は、特許請求の範囲から逸脱することなく修正され得る。
【０１０３】
[0116]本明細書で使用される場合、アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに複数の同じ要素を持ついずれの組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）をカバーするように意図されている。
【０１０４】
[0117]本明細書で使用される場合、「決定すること」という用語は、幅広いアクションを包含する。例えば、「決定すること」は、計算すること（calculating）、計算すること（computing）、処理すること、導出すること、調査すること、ルックアップすること（例えば、表、データベース、または別のデータ構造においてルックアップすること）、確定すること、および同様のことを含み得る。また、「決定すること」は、受信すること（例えば、情報を受信すること）、アクセスすること（例えば、メモリにおけるデータにアクセスすること）、および同様のことを含み得る。また、「決定すること」は、解決すること、選択すること、選ぶこと、確立すること、および同様のことを含み得る。
【０１０５】
[0118]いくつかのケースでは、フレームを実際に送信するのではなく、デバイスは、送信のためにフレームを出力するためのインターフェースを有し得る。例えば、プロセッサは、送信のためのＲＦフロントエンドに、バスインターフェースを介して、フレームを出力し得る。同様に、フレームを実際に受信するのではなく、デバイスは、別のデバイスから受信されるフレームを取得するためのインターフェースを有し得る。例えば、プロセッサは、送信のためのＲＦフロントエンドから、バスインターフェースを介して、フレームを取得（または受信）し得る。
【０１０６】
[0119]上記で説明された方法の様々な動作は、対応する機能を実行することが可能な任意の適切な手段によって実行され得る。手段は、それに限定されるものではないが、回路、特定用途向け集積回路（ＡＳＩＣ）、またはプロセッサを含む、様々なハードウェアおよび／またはソフトウェアのコンポーネントおよび／またはモジュールを含み得る。一般に、図面に例示された動作がある場合、これらの動作は、同様の番号付けを有する、対応する対をなすミーンズプラスファンクションのコンポーネントを有し得る。
【０１０７】
[0120]例えば、決定するための手段、示すための手段、受信するための手段、通信するための手段、シグナリングするための手段、実行するための手段、および／または送信するための手段は、図６に例示されたワイヤレス基地局６１０のＴＸプロセッサ６１６、送信機６１８、および／またはコントローラ／プロセッサ６７５、および／または図６に例示されたユーザ機器６５０のＴＸプロセッサ６６８、送信機６５４、および／またはコントローラ／プロセッサ６５９、のような１つまたは複数のプロセッサを含み得る、処理システム；図６に例示されたワイヤレス基地局６１０のＴＸプロセッサ６１６、送信機６１８、および／またはアンテナ６２０、および／または図６に例示されたユーザ機器６５０のＴＸプロセッサ６６８、送信機６５４、および／またはアンテナ６５２を含み得る、送信機；および／または図６に例示されたワイヤレス基地局６１０のＲＸプロセッサ６７０、受信機６１８、および／またはアンテナ６２０、および／または図６に例示されたユーザ機器６５０のＲＸプロセッサ６５６、受信機６５４、および／またはアンテナ６５２を含み得る、受信機を備え得る。態様では、そのような手段は、ＭＭＥのようなネットワークエンティティの対応するコンポーネントを含み得る。
【０１０８】
[0121]本開示に関して説明された様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタロジック、個別ハードウェアコンポーネント、または本明細書で説明された機能を実行するように設計されたこれらの任意の組み合わせを用いて実現または実行され得る。汎用プロセッサは、マイクロプロセッサであり得るが、代替として、プロセッサは、任意の商業的に利用可能なプロセッサ、コントローラ、マイクロコントローラ、またはステートマシンであり得る。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、または任意の他のそのような構成として実現され得る。
【０１０９】
[0122]ハードウェアで実現された場合、例示的なハードウェア構成は、ワイヤレスノード中の処理システムを備え得る。処理システムは、バスアーキテクチャを用いて実現され得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路を共にリンクし得る。バスインターフェースは、特に、ネットワークアダプタをバスを介して処理システムに接続するために使用され得る。ネットワークアダプタは、ＰＨＹレイヤの信号処理機能を実現するために使用され得る。ワイヤレスノード（図１を参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、等のような様々な他の回路をリンクさせ得、これらは、当該技術分野において周知であるのでこれ以上説明されない。プロセッサは、１つまたは複数の汎用および／または専用プロセッサを用いて実現され得る。例は、マイクロプロセッサ、マイクロコントローラ、ＤＳＰプロセッサ、およびソフトウェアを実行することができる他の回路を含む。当業者であれば、特定のアプリケーションおよびシステム全体に課せられる全体的な設計制約に依存して、処理システムに関して説明された機能を実現するのに最良の方法を認識するであろう。
【０１１０】
[0123]ソフトウェアで実現される場合、機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語、またはその他の方法で称されるかにかかわらず、命令、データ、またはこれらの任意の組み合わせを意味するように広く解釈されるべきである。コンピュータ可読媒体は、１つの場所から別の場所へのコンピュータプログラムの転送を容易にする任意の媒体を含む通信媒体とコンピュータ記憶媒体の両方を含む。プロセッサは、バスの管理と、機械可読記録媒体上に記憶されたソフトウェアの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体は、プロセッサと一体化され得る。例として、機械可読媒体は、伝送回線、データによって変調された搬送波、および／またはワイヤレスノードとは別個にその上に記憶された命令を有するコンピュータ可読記憶媒体を含み得、これら全ては、バスインターフェースを通じてプロセッサによってアクセスされ得る。代替として、またはこれに加えて、機械可読媒体、またはその任意の部分は、キャッシュおよび／または汎用レジスタファイルでのケースでそうであり得るように、プロセッサに組み込まれ得る。機械可読記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはこれらの任意の組み合わせを含み得る。機械可読媒体は、コンピュータプログラム製品に組み込まれ得る。
【０１１１】
[0124]ソフトウェアモジュールは、単一の命令、または多くの命令を備え得、いくつかの異なるコードセグメントにわたって、異なるプログラム間で、および複数の記憶媒体にわたって、分散され得る。コンピュータ可読媒体は、いくつかのソフトウェアモジュールを備え得る。ソフトウェアモジュールは、プロセッサのような装置によって実行されると、様々な機能を処理システムに実行させる命令を含む。ソフトウェアモジュールは、送信モジュールおよび受信モジュールを含み得る。各ソフトウェアモジュールは、単一の記憶デバイス内に存在し得る、または複数の記憶デバイスにわたって分散され得る。例として、ソフトウェアモジュールは、トリガリングイベントが生じたときに、ハードドライブからＲＡＭにロードされ得る。ソフトウェアモジュールの実行中、プロセッサは、アクセス速度を増大させるために、命令のうちのいくつかをキャッシュにロードし得る。その後、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実現されるということが理解されるであろう。
【０１１２】
[0125]また、いずれの接続手段も、厳密には、コンピュータ可読媒体と称される。例えば、ソフトウェアが、同軸ケーブル、光ファイバーケーブル、ツイストペア、デジタル加入者回線（ＤＳＬ）、または赤外線（ＩＲ）、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。したがって、いくつかの態様では、コンピュータ可読媒体は、非一時的なコンピュータ可読媒体（例えば、有形媒体）を備え得る。加えて、他の態様では、コンピュータ可読媒体は、一時的なコンピュータ可読媒体（例えば、信号）を備え得る。上記の組合せもまた、コンピュータ可読媒体の範囲内に含まれるべきである。
【０１１３】
[0126]したがって、ある特定の態様は、本明細書で提示された動作を実行するためのコンピュータプログラム製品を備え得る。例えば、このようなコンピュータプログラム製品は、その上に命令が記憶された（および／または符号化された）コンピュータ可読媒体を備え得、これら命令は、本明細書で説明された動作を実行するために１つまたは複数のプロセッサによって実行可能である。
【０１１４】
[0127]さらに、本明細書で説明された方法および技法を実行するためのモジュールおよび／または他の適切な手段は、適宜、ワイヤレスノードおよび／または基地局によってダウンロードされるおよび／またはさもなければ取得され得ることが理解されるべきである。例えば、このようなデバイスは、本明細書で説明された方法を実行するための手段の転送を容易にするためにサーバに結合されることができる。代替として、本明細書で説明された様々な方法は、ワイヤレスノードおよび／または基地局が、デバイスに記憶手段を結合または提供する際に、様々な方法を得ることができるように、記憶手段（例えば、ＲＡＭ、ＲＯＭ、コンパクトディスク（ＣＤ）またはフロッピーディスクのような物理記憶媒体、等）を介して提供されることができる。さらに、本明細書で説明された方法および技法をデバイスに提供するためのその他任意の適切な技法が、利用されることができる。
【０１１５】
[0128]本願の特許請求の範囲が、上述された、まさにその構成およびコンポーネントに限定されないことが理解されるべきである。様々な修正、変更、および変形が、特許請求の範囲から逸脱することなく、上記に説明された方法および装置の配置、動作および詳細において行われ得る。
【図１】
2019509683.tif 000003
【図２】
2019509683.tif 000004
【図３】
2019509683.tif 000005
【図４】
2019509683.tif 000006
【図５】
2019509683.tif 000007
【図６】
2019509683.tif 000008
【図７】
2019509683.tif 000009
【図８】
2019509683.tif 000010
【図９】
2019509683.tif 000011
【図１０】
2019509683.tif 000012
【図１１】
2019509683.tif 000013
【図１２】
2019509683.tif 000014
【図１３】
2019509683.tif 000015
【国際調査報告】
2019509683.tif 000016
2019509683.tif 000017
2019509683.tif 000018
2019509683.tif 000019